(57)【要約】【課題】回動可能な表示装置を有する撮像装置において、撮像装置の厚みを増やすことなく、高強度に表示装置を保持する構成を提供する。【解決手段】表示装置と、前記表示装置を回動可能に保持するヒンジユニットと、前記表示装置が収納される収納部を有する外装部材と、前記ヒンジユニットを保持するための保持部材とを有し、前記保持部材は前記外装部材より高強度な材質であり、前記外装部材は、前記ヒンジユニットと前記保持部材に挟まれるように配置されることを特徴とする構成とした。【選択図】図５
2012085245.tif 000002
【特許請求の範囲】
【請求項１】
表示装置（２）と、
前記表示装置（２）を回動可能に保持するヒンジユニット（３）と、
前記表示装置（２）が収納される収納部（４０３）を有する外装部材（４０）と、
前記ヒンジユニット（３）を保持するための保持部材（４１）とを有し、
前記保持部材（４１）は前記外装部材（４０）より高強度な材質であり、
前記外装部材（４０）は、前記ヒンジユニット（３）と前記保持部材（４１）に挟まれるように配置され、
前記保持部材（４１）は、ヒンジユニット（３）を固定するための固定部（４１１，４１２）と、本体シャーシ（８）と締結するための締結部（４１３、４１４）を有することを特徴とする撮像装置。
【請求項２】
前記保持部材（４１）は金属製であり、前記保持部材（４１）の固定部（４１１，４１２）と締結部（４１３、４１４）は、略直交することを特徴とする、請求項１に記載の撮像装置。
【請求項３】
前記表示装置（２）と、
前記ヒンジユニット（３）と、
前記保持部材（４１）は、
前記外装部材（４０）に取り付けれられた状態で、まとまったユニット状態（４）であることを特徴とする請求項１または請求項２に記載の撮像装置。
【発明の詳細な説明】
【技術分野】
【０００１】
本発明は回動可能な表示装置を有する撮像装置に関し、特に撮像装置の厚みを増やすことなく、高強度に表示装置を保持する構成に関する。
【背景技術】
【０００２】
従来、デジタルカメラなどの撮像装置において、撮像素子から出力された信号を撮像装置の外観に設けられた表示装置に表示して、撮影前に構図や露出を確認する事が出来るライブビュー機能を有するものがある。この様な撮像装置においては、極端なローアングルやハイアングルにおいて表示装置の視認性を確保するために、表示装置が撮像装置本体に対して回動可能に保持されているものが数多く提案されている。表示装置を回動可能に保持するためには、表示装置とヒンジユニットを締結した表示装置ユニットのヒンジ側を撮像装置本体に固定することが一般的である。
【０００３】
近年、表示装置の大型化に伴い、撮影者が表示装置ユニットを回動させる際にヒンジユニットに発生する荷重は増加しており、ヒンジユニットおよびその取付け部には従来より高い強度が要求されている。
【０００４】
以下に示す特許文献１では、映像機器の外装部材に設けたダボにヒンジユニットをビスで固定する構成が開示されている。
【先行技術文献】
【特許文献】
【０００５】
【特許文献１】特許第4286263号
【発明の概要】
【発明が解決しようとする課題】
【０００６】
特許文献1に開示された従来技術では、映像機器の外装部材に設けられたダボに表示装置ユニットをビスで固定する構成となっているため、表示装置ユニットを高強度に保持するためには、ダボのビス下穴の長さを十分に長くしたり、ダボの周囲に補強リブを設けるなどする必要があり、映像機器の大型化につながってしまう。また、この構成では、外装部材の外側から表示装置ユニットをダボ位置まで挿入した後に、外装部の内側からビスで締結する構成をとっているため、組立の手順が煩雑である。さらには、上記従来技術では、ヒンジユニットを含む表示装置ユニットが映像機器の電気的なグランドと強固に接続されていないため、表示装置の駆動時に電磁ノイズを発生させてしまうことが懸念される。
【０００７】
そこで、本発明の目的は、回動可能な表示装置ユニットを有する撮像装置において、撮像装置を大型化することなく、高強度に表示装置ユニットを保持し、かつ容易に組立可能で、表示装置ユニットと撮像装置本体の電気的な接続も強固になされる構成を提供することである。
【課題を解決するための手段】
【０００８】
上記目的を達成するために、本発明の撮像装置は、表示装置と、前記表示装置を回動可能に保持するヒンジユニットと、前記表示装置が収納される収納部を有する外装部材と、前記ヒンジユニットを保持するための保持部材とを有し、前記保持部材は前記外装部材より高強度な材質であり、前記外装部材は、前記ヒンジユニットと前記保持部材に挟まれるように配置されることを特徴とする。
【発明の効果】
【０００９】
本発明によれば、回動可能な表示装置を有する撮像装置において、ヒンジユニットは外装部材より高強度な保持部材によって保持されるため、少ないスペースで高強度な保持をすることが可能である。
【図面の簡単な説明】
【００１０】
【図１】本発明の実施形態を示したデジタルカメラの斜視図である。
【図２】本発明の実施形態を示したヒンジ機構の分解斜視図である。
【図３】本発明の実施形態を示したデジタルカメラの背面カバーユニット取り付け構成を示す図である。
【図４】本発明の実施形態を示した表示装置ユニットの分解斜視図である。
【図５】本発明の実施形態を示した背面カバーユニットの分解斜視図である。
【図６】本発明の実施形態を示した背面カバーユニットの構成を示す図である。
【図７】本発明の実施形態を示した背面カバーユニットとシャーシの接続構成を示す図である。
【発明を実施するための形態】
【００１１】
以下に、本発明の好ましい実施の形態を、添付の図面に基づいて詳細に説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【実施例】
【００１２】
図１から図７を用いて、本発明の表示装置を搭載する撮像装置の一実施形態であるデジタルカメラを説明する。
【００１３】
図１（ａ）は本実施例のデジタルカメラを前方（被写体側）から見た斜視図である。図１（ｂ）は本実施例のデジタルカメラを後方（撮影者側）底面方向から見た斜視図である。図１（ｃ）は本実施例のデジタルカメラの表示装置を開いた状態を後方（撮影者側）から見た斜視図である。
【００１４】
図１（ａ）から図１（ｃ）において、１はデジタルカメラ本体であり、２は撮影画像等を確認可能な表示装置ユニットである。表示装置ユニット２は、例えば３．０インチ程度のＴＦＴ液晶パネルなどから構成されている。ここで、表示装置ユニット２は、撮影画像等が表示される表示面２ａと背面２ｂを有している。また、表示装置ユニット２は、撮影時ビューファインダーとしても利用可能となっている。
【００１５】
３はヒンジ機構であり、ヒンジ機構３は後述する背面カバー４０と一体化されており、表示装置ユニット２はヒンジ機構３により回転し、デジタルカメラ本体１に対して開閉可能に結合されている。ヒンジ機構３の第１の回転中心軸Ａにより回転し、表示装置ユニット２が開いている状態で、さらにヒンジ機構３の第２の回転中心軸Ｂにより回転をさせることで、撮影者はより自由なアングルにて撮影を行うことができる。
【００１６】
図２は、ヒンジ機構３の分解斜視図である。
【００１７】
図２において、３０１、３０２は背面カバー４０への取り付け部であり、ヒンジ機構３は取り付け部３０１、３０２が背面カバー４０に後述する不図示のビスで取り付けられる。
【００１８】
３０３、３０４は開閉支軸、３０３ａ、３０４ａは開閉ストッパであり、それぞれの支軸と一体に形成されている。３０５はベース板であり、開閉ストッパ３０３ａ、３０４ａをベース板３０５に形成された当接部（不図示）に当接させることで、開閉支軸３０３、３０４による表示装置ユニット２の開きを１８０度に規制する。３０６は可動カム、３０７はコイルバネであり、可動カム３０６は開閉支軸３０４の軸方向に移動自在に挿入され、コイルバネ３０７は可動カム３０６を開閉支軸３０５に設けられたカム面に常時付勢する。開閉支軸３０３、３０４はそれぞれの一端でベース板３０５に回動可能に保持され、回転中心軸Ａを回転中心として開閉させる際の開閉支軸となる。
【００１９】
３０８は表示取り付け部、３０８ａは回動軸であり、表示取り付け部３０８に表示装置ユニット２が取り付けられる。回転軸３０８ａは表示取り付け部３０８と一体に形成され、表示装置ユニット２をデジタルカメラ本体１に対して、回転中心軸Ｂを回転中心として回動させる際の回転軸となる。３０９は固定カムであり、固定カム３０９は回動軸３０８ａに固定される。３１０は板バネであり、板バネ３１０は回動軸３０８ａに所定のトルクを与える。３１１は回動ストッパであり、回動ストッパ３１１をベース板３０５に形成された突起（不図示）に当接させることで、回動軸３０８ａを中心とする画像表示部２の回転を一定範囲に規制する。ベース板３０５は回動軸３０８ａを回動自在に支持する。
【００２０】
３１２、３１３はヒンジカバーであり、ヒンジカバー３１２、３１３はビス３１４によりベース板３０５に固定され、ヒンジ機構３を覆う。
【００２１】
なお本実施例では、ヒンジ機構の構成部品のうちヒンジカバー３１２，３１３を除いた部品はすべて金属製である。
【００２２】
図３（ａ）は、デジタルカメラ１の分解斜視図である。
【００２３】
図３（ａ）において、４は背面カバーユニット、５はサイドカバーであり、背面カバーユニット４はビス１３、サイドカバー５はビス１４によってデジタルカメラ本体１に取り付けられる。サイドカバー５は樹脂で成形されている。
【００２４】
６は端子カバー、９は電気回路基板、１０は外部インターフェース端子部、１１は周辺機器用端子部である。端子カバー６は弾力性のあるエラストマー部材で形成され、サイドカバー５に圧入され、外部インターフェース端子部１０、周辺機器用端子部１１を保護している。外部インターフェース端子部１０は、カメラを外部機器と接続するための端子部であり、電気回路基板９に実装されている。本実施例では、ＵＳＢ  ＭｉＮｉ−ＢおよびＨＤＭＩ  ＴｙｐｅＡ端子である。周辺機器用端子部１１は、カメラの周辺機器を接続するための端子部であり、不図示の電気回路基板に実装されている。本実施例では、マイクおよびリモートコントローラー用の端子である。これらは主に、カメラ使用状態において使用される。そのため、ヒンジ機構３による画面表示部２の回動軌跡から外れた位置に配置されており、周辺機器を接続した状態において、表示装置ユニット２の回動を妨げることなくカメラおよび周辺機器の使用を可能としている。
【００２５】
７は外装ラバーであり、外装ラバー７は弾力性のあるエラストマー部材で成形されており、端子カバー６と一体的に意匠性を高めつつ、撮影時の滑り止めの役割を持つ。８はシャーシであり、シャーシ８は金属で成形されており、デジタルカメラ本体１の骨格の一部をなしている。１２はコネクタであり、シャーシ８に固定された電気回路基板９上に実装されている。背面カバーユニット４は後述するフレキシブル電気回路基板によってコネクタ１２に電気的に接続される。
【００２６】
図３（ｂ）は、背面カバーユニット４を前方（被写体側）から見た斜視図であり、表示装置ユニットが回動した位置にある状態を示している。
【００２７】
４０は背面カバーであり、背面カバー４０は樹脂で成形されている。４１はヒンジ保持部材であり、金属で成形されている。４３はフレキシブル電気回路基板であり、背面カバーユニット４の操作用ボタン（不図示）、スピーカ（不図示）、ディテクタスイッチ（不図示）と、これらに付随する抵抗（不図示）、コンデンサ（不図示）等の実装部品が搭載されている。フレキシブル基板４３は、デジタルカメラ本体１に固定された電気回路基板９に実装されたコネクタ１２によって接続され、前記実装部品に対して電気信号の処理が行われる。
【００２８】
図４は、表示装置ユニット２の分解斜視図である。
【００２９】
図４を用いて、表示装置ユニット２の全体構成を説明する。２００は表示ケースである。２０２は表示パネルであり、ＴＦＴ液晶パネルである。表示パネル２０２は後述する接続基板に電気的に接続するためのフレキシブル基板２０２ａを有している。
【００３０】
２０３は表示パネル２０２を保持する表示パネル保持部材であり、金属部材により形成されている。表示パネル保持部材２０３には後述するビスによってヒンジ機構に固定する際に、ヒンジユニットと当接する、ヒンジ当接部２０３ａが設けられている。２０４は接続電気回路基板であり、メインの電気回路基板９からの信号を表示パネル２０２に接続するために不図示の細線同軸ケーブルに接続することを目的とした基板である。表示パネル保持部材２０３には接続電気回路基板２０４が固定されている。表示パネル保持部材２０３は接続電気回路基板２０４を組み付けた状態で、表示サブユニット２１１として組立てられ、前記表示サブユニット２１１に対して、表示パネル２０２を固定した状態で表示ユニット２１２としてユニット化される。
【００３１】
２０８は弾性部材であり、表示ユニット２１２と表示ケース２００の間に配置されることにより、表示装置ユニット２に加わる外力が表示パネル２０２に伝わりにくくしている。表示ユニット２１２はビス２０９によって表示ケース２００に固定される。２０６は表示窓、２０７は両面テープであり、表示窓２０６は両面テープ２０７により表示ケース２００に接着され、表示装置ユニット２の表示面２ａ側を保護している。２０５は表示部カバーであり、金属部材により成形されている。表示パネル保持部材２０３にはネジ部が形成してあり、表示カバー２０５はビス２１０ｂによって固定される。
【００３２】
ここで、ヒンジ機構３は、表示ケース２００に設けられたスリット部に表示取り付け部３０８が挿入された後、ビス２１０ａが表示ケース２００の穴形状を通り、前記表示取り付け部３０８に形成されたネジ部に対しビス締めされることにより固定される。なおこの際、表示パネル保持部材２０３に設けられたヒンジ当接部２０３ａは表示取付け部３０８と表示ケース２００の間に挟まれて共締めされる。よって、表示パネル２０２は金属製の表示パネル保持部材２０３を介して、ヒンジ機構３と電気的に接続される。
【００３３】
次に図５および図６を用いて、背面カバーユニットの構成について説明する。
【００３４】
図５は背面カバーユニットの分解斜視図である。
【００３５】
図６は背面カバーユニットのヒンジ保持部材付近の構成を示す図である。図６（ａ）は背面カバーユニットを側面から見た図、図６（ｂ）は背面カバーユニットを背面（撮影者側）から見た図、図６（ｃ）および図６（ｄ）は図６（ｂ）に示す切断線Ｃ−ＣおよびＤ−Ｄでの断面図である。
【００３６】
表示装置ユニット２はヒンジ機構３に前述したビス２１０ａによって固定されている。ヒンジ機構３の固定部３０１および３０２には、背面カバーとの位置関係を決めるための位置決め穴３０１ａ、３０２ｂおよびビス３０１ｃ、３０２ｃによってヒンジ機構を固定するためのビス穴３０１ａ、３０２ａが設けられている。
【００３７】
背面カバー４０には、ヒンジ機構の位置をガイドするための位置決めダボ４０１ａ、４０２ａおよび、ビス３０１ｃ、３０２ｃを通すためのビス穴４０１ｂ、４０２ｂが設けられている。４０３は表示装置収納部であり、表示装置ユニット２はこの表示装置収納部４０３に収納される。
【００３８】
４１はヒンジ保持部材であり、ヒンジ機構３を固定するためのビス３０１ｃ、３０２ｃが締結されるためのビス穴４１１および４１２が設けられている。また、背面カバーユニットをシャーシ８と接続するためのシャーシ固定部４１３、４１４にはビスが締結されるビス穴４１３ａ、４１３ｂ、４１４ａ、４１４ｂが設けられている。
【００３９】
なお、本実施例では背面カバーは樹脂製であり、ヒンジ保持部材４１は金属製である。
【００４０】
この様な構成にすることで、表示装置ユニット２が固定されたヒンジ機構３が背面カバーに設けられた位置決めダボ４０１ａ、４０２ａによって直接位置決めされるため、表示装置ユニット２と背面カバーの相対的な位置関係のばらつきがなくなり、図６（ｂ）に示す表示装置ユニット２と表示装置収納部４０３の隙間ｄを小さく設定することが可能となり、外観の品位を向上させることができる。また、背面カバー４に対して、背面（撮影者側）から表示装置ユニット２を組み付け、背面からビス３０１ｃ、３０２ｃを締結するので、組立時に背面カバーユニットの向きを変更する必要がなく、簡単に組立を行うことができる。また、ヒンジ機構３は背面カバー４０を挟んで配置された、金属製のヒンジ保持部材４１に設けられたビス穴４１１，４１２にビス３０１ｃ、３０２ｃによって締結されるため、樹脂製の背面カバーにビス下穴を設けてビスを締結させる場合に比較して、少ないビスかかり量で高強度に締結することが可能である。よって、撮像装置の厚さ（図６（ｃ）、（ｄ）の矢印Ｔで示される方向）を増やすことなく、表示装置ユニット２を高強度に保持することが可能となる。
【００４１】
図７は背面カバーユニット４がシャーシ８に接続される構造を示す図である。
【００４２】
図７(a)はバックカバーユニットがシャーシ８に接続されている様子を、カメラ全面から見た図である。図７(b)はカメラ側面から見た図であり、図中に示す線Ｅ−Ｅでの断面図が図７(c)、線Ｆ−Ｆでの断面図が図７(d)である。ヒンジ保持部材４１のシャーシ固定部４１３，４１４はシャーシ８に設けられたシャーシ側面部８１の内側に接触するように配置され、ビス穴４１３ａ、４１３ｂ、４１４ａ、４１４ｂに対して、ビス１４がサイドカバー５とメインシャーシ側面部８１を挟み込んで締結される。
【００４３】
このような構成にすることで、ヒンジ機構３とシャーシ８は、金属部品であるビス３０１ｃ、３０２ｃおよびヒンジ保持部材４１を介して電気的に接続される。前述したように表示装置２０２はヒンジ機構３と電気的に接続されているため、表示装置２０２はシャーシ８と電気的に接続される。これによって、表示装置２０２を駆動した際に、カメラ本体から発生する電磁ノイズを抑制することが可能となる。また、表示装置ユニット２の開閉動作に伴って、ヒンジ機構３に大きな負荷がかかった場合でも、背面カバー４０だけではなく、ヒンジ保持部材４１およびシャーシ８にも負荷が分散されるため、表示装置ユニット２に働く外力に対する信頼性を向上させることが可能となる。
【００４４】
以上、本発明の好ましい実施形態について説明したが、本発明はこれらの実施形態に限定されず、その要旨の範囲内で種々の変形及び変更が可能である。また、本発明は、デジタルムービーカメラ、携帯型のＰＣ、携帯電話等に適用してもよい。また、本実施形態における表示パネルとしては、バックライトが内蔵された透過型の液晶表示装置やバックライトの代わりに反射板を内蔵した、いわゆる反射型の液晶表示装置のどちらとしてもよい。
【符号の説明】
【００４５】
１  デジタルカメラ本体
２  表示装置ユニット
３  ヒンジ機構
４  背面カバーユニット
５  サイドカバー
６  端子カバー
７  外装ラバー
８  シャーシ
【図１】
2012085245.tif 000003
【図２】
2012085245.tif 000004
【図３】
2012085245.tif 000005
【図４】
2012085245.tif 000006
【図５】
2012085245.tif 000007
【図６】
2012085245.tif 000008
【図７】
2012085245.tif 000009